(57)【特許請求の範囲】
【請求項１】
鹿皮を素材としてリング状に形成されたバンド体に小型発信機を取り付け、当該バンド体を小動物の腰部分に装着して小動物の行動範囲を確認することを特徴とした小動物の生態系行動範囲の確認方法。
【請求項２】
小動物は、両生類である請求項１に記載の小動物の生態系行動範囲の確認方法。
【請求項３】
鹿皮を素材としてリング状に形成され、小動物の腰部分に装着されるバンド体に、小型発信機を取り付けたことを特徴とする小動物の生態系行動範囲の確認用装置。
【請求項４】
小型発信機は、長寿命性を保持することが可能な発信間隔を有する大規模集積回路を用いている請求項３に記載の小動物の生態系行動範囲の確認用装置。
【請求項５】
小型発信機は、寿命を１ヶ月半以上保持することが可能で、１０秒以上の発信間隔を有するものである請求項４に記載の小動物の生態系行動範囲の確認用装置。
【発明の詳細な説明】
【技術分野】
【０００１】
本発明は、森林、河川、湖畔等の様々な自然環境において、例えば、両生類、爬虫類、鳥類、猛禽類、魚類、小型哺乳類等の小動物の行動を長期間に渡り追跡することにより、小動物の生態系行動範囲の確認を行なうことを可能とした、小動物の生態系行動範囲の確認方法と、小動物の生態系行動範囲の確認用装置に関するものである。
【背景技術】
【０００２】
近年において、環境影響評価法が施行されたことにより、新たな項目として生態系の評価が求められ、生態系内の相互作用を可能な限り定量的に把握することが必要となってきている。
【０００３】
そして、このような生態系の全てを把握するには、時間的、経済的、技術的に限界があることから、上位性（生態系の上位に位置する性質のこと）、典型性（地域の生態系の特徴を典型的に現す性質のこと）、特殊性（特殊な環境であることを示す指標となる性質のこと）の視点から生態系の構造と機能を明らかにすることとしているが、具体的な生態系の調査、予測、評価方法は確立されていないのが実状である。
【０００４】
また、従来においては、小動物の生態系行動範囲の確認を行なうために、供試個体である小動物に小型発信機を装着し、当該小動物の行動を追跡するというような事例は少なかった。
【０００５】
加えて、小動物の行動を追跡する少ない事例においても、短期間の移動追跡を行なうことを目的とし、小動物の皮膚に小型発信機を直接縫い付けたり、また、小動物の皮膚に接着剤等で小型発信機を固定する手法が主に採用されていた。
【特許文献１】特になし
【発明の開示】
【発明が解決しようとする課題】
【０００６】
そして、従来のように供試個体である小動物に小型発信機を装着する場合には、小動物の行動に負荷を極力かけないようにするため、小型発信機自体を可能な限り軽量化する必要があるが、小動物の行動に悪影響を与えることのない好ましい形状の小型発信機は、そもそも存在しなかった。
【０００７】
また、従来の小型発信機は、小動物について、極めて短期間の移動追跡を行なうことを目的としていることから、この装置をそのまま小動物に長期間装着してしまうと、小動物に大きなストレスを与え、小動物の生命を奪ってしまう可能性があった。
【０００８】
さらに、小動物について、長期間に渡る追跡を可能にするためには、自ずと小型発信機の付け替えが必要となるが、従来のように小型発信機を小動物の皮膚に直接縫い付けたり、また、小動物の皮膚に接着剤等で小型発信機を固定する手法においては、小動物に取り付けた小型発信機の付け替えが困難であった。
【０００９】
例えば、小型発信機を供試個体である小動物の皮下に挿入した場合、長期間の追跡調査を実施するために、小型発信機の交換が必要となるが、小動物の皮下に挿入した小型発信機を体内から取り出し、小動物の皮下に小型発信機を再度挿入するのは、小動物の生命を維持する点からすれば、現実的に困難である。
【００１０】
同様に、小型発信機を供試個体である小動物の皮膚に直接接着したときも、調査の途中段階で小型発信機に不具合が生じたり、小型発信機の寿命が尽きた場合であっても、小型発信機の取り替えが困難である。
【００１１】
また、従来においては、アクリル素材の細片を皮下に埋め込み、金具等で小型発信機を繋ぐタイプや、小型発信機を連結した金具を皮下に直接取り付けるタイプ等が考えられたが、両タイプの試験結果によると、皮下に挿入したアクリル素材の細片が周辺皮膚の剥皮・炎症等により脱落したり、金具が取れて皮膚が再生していたりする等の弊害が生じていた。
【００１２】
さらに、幅員約５ｍｍ程度の合成ゴムを用いて腰巻き状のベルトのような形状のものを作成し、接着剤等でベルトと小型発信機とを接着すると共に、ナイロンテグスで縫合し、合成ゴムベルトの接触部分で剥皮が生じ、それによる供試個体の損傷、死亡が確認された。
【００１３】
これは野外下における落ち葉の断片の付着や、小動物が地面や水面に隠れたり、跳躍する等の行動における微妙な動きに対して、ベルトの伸縮能力に問題が存在したからであり、これらによりベルト自体の素材の再検討が必要となった。
【００１４】
そこで、本発明は如上のような従来存した諸事情に鑑み創出されたもので、森林、河川、湖畔等の様々な自然環境において、例えば、両生類、爬虫類、鳥類、猛禽類、魚類、小型哺乳類等の小動物の行動を、小動物に傷を付けることなく長期間に渡り追跡することにより、小動物の生態系行動範囲の確認を行なうことを可能とした、小動物の生態系行動範囲の確認方法と、小動物の生態系行動範囲の確認用装置を提供することを目的とする。
【課題を解決するための手段】
【００１５】
本発明に係る生態系行動範囲の確認方法にあっては、鹿皮を素材としてリング状に形成されたバンド体に小型発信機を取り付け、当該バンド体を小動物の腰部分に装着して小動物の行動範囲を確認することで、上述した課題を解決した。
【００１６】
また、小動物は、両生類であることで、同じく上述した課題を解決した。
【００１８】
一方、本発明に係る小動物の生態系行動範囲の確認用装置にあっては、鹿皮を素材としてリング状に形成され、小動物の腰部分に装着されるバンド体に、小型発信機を取り付けたことで、同じく上述した課題を解決した。
【００２０】
加えて、小型発信機は、長寿命性を保持することが可能な発信間隔を有する大規模集積回路を用いていることで、同じく上述した課題を解決した。
【００２１】
また、小型発信機は、寿命を１ヶ月半以上保持することが可能で、１０秒以上の発信間隔を有することで、同じく上述した課題を解決した。
【発明の効果】
【００２４】
本発明に係る小動物の生態系行動範囲の確認方法は、バンド体に小型発信機を取り付け、当該バンド体を小動物に装着することにより、供試個体である小動物に傷を付けることなく、小動物に小型発信機を取り付けることができる。その結果、小動物にストレスを与えること無く小型発信機を取り付けて、小動物の生態系における行動範囲の長期間の追跡調査が可能となる。
【００２５】
また、小動物は、両生類であることから、当該両生類に与えるストレスを軽減して小型発信機を取り付けて、両生類の生態系における行動範囲の長期間の追跡調査が可能となる。このとき、自然環境下における実験によると少なくとも約３年程度と思われるカエル等の両生類の寿命が、小型発信機の取り付けにより極端に短くなることが無い。
【００２６】
さらに、バンド体は、鹿皮を素材としてリング状に形成されているので、軽くて、柔軟性・伸縮性があり、しかも、乾いたり濡れたりしてもソフトな感じを維持することができるため、従来の合成ゴムバンドで生じていた野外下における落ち葉の断片の付着を防止すると共に、地面や水面に隠れたり跳躍する等の小動物の行動における微妙な動きに対して、摩擦による小動物の皮膚の剥がれや、これに伴う小動物の致傷・死亡等を防止することができる。
【００２７】
また、バンド体は、リング状に形成され、両生類の腰部分に巻き付けるように装着されるので、両生類に与えるストレスを軽減して小型発信機を取り付けることができる。
【００２８】
一方、本発明に係る小動物の生態系行動範囲の確認用装置においては、リング状に形成されて小動物に装着されるバンド体に、小型発信機を取り付けたことから、バンド体を介して供試個体である小動物に傷を付けることなく小型発信機を取り付けることができる。その結果、小動物に与えるストレスを軽減して小型発信機を取り付けて、小動物の生態系における行動範囲の長期間の追跡調査が可能となる。そして、小動物に装着しているバンド体が、不意に小動物からはずれ落ちてしまう事態の発生も確実に阻止している。
【００２９】
また、小型発信機を交換するときは、小動物に装着しているバンド体を切断し、新しい小型発信機を取り付けてあるバンド体を小動物に再度装着すればよく、小型発信機の交換が極めて容易である。
【００３０】
さらに、バンド体は、鹿皮を素材としているので、小動物の皮膚との相性が良好となり、しかも、軽量で伸縮能力を維持し、耐湿性・耐乾燥性も有するので、小動物にストレスを与えること無く小型発信機を取り付けることができる。
【００３１】
また、小型発信機は、長寿命性を保持することが可能な発信間隔を有する大規模集積回路を用いているので、小型発信機の交換時期を可能な限り延長することができ、これによって、小動物の生態系行動範囲の追跡調査を長期間に渡り容易に行える。
【００３２】
加えて、小型発信機は、寿命を１ヶ月半程度保持することが可能で、１０秒以上の発信間隔を有するものであるので、小動物の位置を正確に知らせると共に、小型発信機の交換時期を１ヶ月半程度まで延長することができる。その結果、小動物に与えるストレスを軽減して、小動物の生態系行動範囲の追跡調査を長期間に渡り容易に行える。
【００３３】
具体的には、小動物の生態系行動範囲を追跡する際に、順次新しい小型発信機に取り替えることで、長期間の追跡が可能となる。
【００３４】
また、バンド体は、牛皮、カンガルー皮、蛇皮等を素材としているので、供試個体である小動物に傷を付けることがなく、小動物の皮膚との相性が良好となり、しかも、軽量で伸縮能力を維持し、耐湿性・耐乾燥性を有するバンド体を提供できる。
【００３５】
この他、小動物は、爬虫類、鳥類、猛禽類、魚類、小型哺乳類等のいずれかであるので、これらの爬虫類、鳥類、猛禽類、魚類、小型哺乳類等について、傷を付けることなく小型発信機を取り付けることができる。その結果、これらの爬虫類、鳥類、猛禽類、魚類、小型哺乳類等にストレスを与えること無く小型発信機を取り付けて、爬虫類、鳥類、猛禽類、魚類、小型哺乳類等の生態系における行動範囲の長期間の追跡調査が可能となる。
【発明を実施するための最良の形態】
【００３６】
以下に、本発明を実施するための最良の形態を、図面を参照して説明する。
【００３７】
本発明に係る小動物の生態系行動範囲の確認方法は、バンド体２に小型発信機１を取り付け、当該バンド体２を小動物に装着することで、小動物の行動範囲を確認することを特徴としている。
【００３８】
また、バンド体２を装着する小動物は、主として両生類Ｐである。このバンド体２は、鹿皮を素材としてリング状に形成され、両生類Ｐの腰部分に装着されるものである。
【００３９】
一方、本発明に係る小動物の生態系行動範囲の確認用装置は、リング状に形成されて小動物に装着されるバンド体２に、小型発信機１を取り付けたことを特徴としている。
【００４０】
小型発信機１は、森林、河川、湖畔等の様々な自然環境において、例えば、両生類Ｐの存在位置を長期間に渡り知らせるものである。具体的には、小型発信機１として、ロテック（ＬＯＴＥＫ…商標名）社製のナノタグを採用した、重量約０．８ｇ程度の軽量性のものである。
【００４１】
この小型発信機１を、例えば、図１（ａ）（ｂ）に示すように、リング状に形成されたバンド体２に取り付ける。
【００４２】
バンド体２は、なめし加工された鹿皮、牛皮、カンガルー皮、蛇皮等の生皮を、幅員５〜６ｃｍ程度の帯状に裁断し、内径約１ｃｍ程度の環状に丸めて、その端部同士を接着することで、リング状に形成してある。
【００４３】
尚、生皮を環状に形成するが、その大きさは内径約１ｃｍ程度に限定されることはなく、装着する小動物の大きさに合わせて、大きさの適宜変更が可能である。
【００４４】
このバンド体２の表面に、皮製接着剤３として、例えば、アロンアルファ（商標名）等の瞬間接着剤を塗布し、小型発信機１を固定する。また、必要に応じて、ナイロンテグスでバンド体２に小型発信機１を巻き付けて縫合するものである。
【００４５】
尚、鹿皮製によるバンド体２の場合には、皮製接着剤３と鹿皮との相性が良いため、ナイロンテグスは必要としない。
【００４６】
このロテック（ＬＯＴＥＫ…商標名）社製の小型発信機１は、図２に示すように、寿命が、例えば、１ヶ月半程度の長寿命性を保持することが可能な、１０秒以上の発信間隔を有するものである。
【００４７】
具体的には、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）による大規模集積回路４を使用し、例えば、ボタン電池等による電源５により半永久的に発信稼働できるようにしてある。また、生態系の行動を妨げないように、小型発信機１のアンテナ６の長さを、約１０ｃｍ以下にしてある。このアンテナ６が短くなることで、受信量は小さくなるが、この点については、調査員が歩いて可能な限りカバーできるようにする。
【００４８】
また、小型発信機１の他の具体的な構成としては、第１に複数個体の野生生物の位置を同時に特定できること、第２に位置特定精度を向上させること、第３に長期間の継続的調査を行えること等の各機能を備えた、例えば、マルチテレメトリシステムによって開発された技術を採用する。
【００４９】
すなわち、本システムは、小型発信機１に加えて、送信局と複数の受信局と情報制御所から構成される。このとき、送信局は、フィールド内の任意の小型発信機１毎に発信命令を送信する機能を有している。小型発信機１は、送信局から発信命令が送信された時のみ発信するインテリジェント機能を有し、発信間隔、発信スケジュール等を遠隔で制御できるものである。
【００５０】
そして、受信局は、小型発信機１から発信される電波を受信し、受信した電波の到来角データを、無線ＬＡＮを通じて情報制御所に伝送する機能を有している。従来型の発信機は、生物に装着し、発信機が発信を始めると一定間隔で発信し続けるため、観測していたときでも電池を消耗し、発信機の寿命を短くしていたのに対し、本システムではこのような問題点が解消されている。
【００５１】
情報制御所は、受信局から伝送されるデータを解析し、例えば、三角法等により位置を特定して地図上に表示する。マルチテレメトリシステムにおける小型発信機１の位置特定精度の検証としては、小型発信機１を一点に固定し、小型発信機１の位置をＤＧＰＳ（デイファレンシャル  グローバル  ポジショニング  システム：１ｍ精度で位置座標を特定可能なＧＰＳ測量）で特定する。
【００５２】
その後、固定した小型発信機１から電波を複数回発信させ、本システムで位置データを収集し、ＤＧＰＳと本システムによる特定位置の差を検証する。
【００５３】
小型発信機１を固定するバンド体２は、例えば、生皮になめし加工を施すことで、防腐性・強靱性・柔軟性・伸縮性等を備えるものとなる。
【００５４】
そして、自然条件下における実験によると少なくとも寿命が約３年程度と考えられているモリアオガエル、アズマヒキガエル、トノサマガエル等の両生類Ｐには、一般的に肩部分が存在しないため、バンドとして鳥類等に用いられているランドセル背負い型の、所謂ハーネスタイプの適用が不可能となる。このため、バンド体2は、図3（ａ）乃至（ｄ）に示すように、両生類Ｐの腰に無理なく装着できるような腰巻ベルト状に加工してある。
【００５５】
バンド体２の具体的なサイズとしては、例えば、鹿皮の場合、前記した両生類Ｐの腰幅１４ｍｍ、腰厚７ｍｍで、腰の周囲長さが約４２ｍｍとなる雌において、経験上、それより周囲長さが約２ｍｍ〜３ｍｍ程度小さい約４０ｍｍ程度とし、且つ幅員を約５ｍｍ、厚みを約１ｍｍとしたバンド体２を使用する。
【００５６】
一方、両生類Ｐの腰幅７．５ｍｍ、腰厚６．１ｍｍで、腰の周囲長さが約２７．２ｍｍとなる雄において、経験上、それより周囲長さが約２ｍｍ程度小さい約２５ｍｍ程度とし、且つ幅員を約５ｍｍ、厚みを約１ｍｍとしたバンド体２を使用する。
【００５７】
尚、追跡個体を捕獲して小型発信機１を交換する際に、追跡個体の成長および体重の変化に伴って胴長が変化するので、これを再測し、それに見合った、例えば、幅員５ｍｍ、周囲長さ約２６ｍｍ〜３５ｍｍ程度のバンド体２を作成するものである。
【００５８】
次に、以上のように構成された本発明に係る小動物の生態系行動範囲の確認方法・小動物の生態系行動範囲の確認用装置において、使用・動作の一例を説明する。
【００５９】
先ず、図１（ａ）（ｂ）に示すように、ロテック（ＬＯＴＥＫ…商標名）社製のナノタグを採用した重量約０．８ｇ程度の軽量性の小型発信機１を、例えば、内径１ｃｍ程度のなめし加工された鹿皮、牛皮、カンガルー皮、蛇皮等によるバンド体２の表面に、皮製接着剤３として、例えば、アロンアルファ（商標名）等を用いて固定し、必要に応じてナイロンテグスで縫合する。
【００６０】
そして、図３（ａ）に示すように、両生類Ｐの後肢を左手で搾るようにして引き延ばした状態で、右手でバンド体２をつまみ、両生類Ｐの水かきのある足部分をバンド体２の内側に入れる。
【００６１】
その後、図３（ｂ）に示すように、右手で両生類Ｐの水かきのある足部分をつかみ、左手でバンド体２をつまみ、バンド体２を両生類Ｐの腰部分まで移動させる。
【００６２】
すると、図３（ｃ）に示すように、バンド体２が両生類Ｐの腰部分において固定される。すなわち、バンド体２は、膨らんでいる両生類Ｐの腹部分の存在により、両生類Ｐの頭方向へのバンド体２の移動が阻止された状態となる。同様に、全体として両生類Ｐの頭方向を向くように屈曲している水かきのある足部分の存在により、両生類Ｐのお尻方向へのバンド体２の移動が阻止された状態となる。
【００６３】
このとき、図３（ｃ）に示すように、小型発信機１のアンテナ６が、両生類Ｐの腰部分において、後方を向くように装着される。
【００６４】
そして、両生類Ｐは、図４に示すように、森林、河川、湖畔等の自然環境にいったん返され、小型発信機１のアンテナ６から、例えば、１０秒の発信間隔で特定周波数の電波が発信されることにより、生態系行動範囲の長期間の追跡調査が行なわれる。
【００６５】
こうして、両生類Ｐの行動圏内における分布状況、例えば、両生類Ｐの行動域のシフト等が、当該両生類Ｐの寿命である約３年間に渡り、継続して調査・解析される。
【００６６】
また、小型発信機１を交換するときは、図３（ｄ）に示すように、両生類Ｐの腰部分に装着しているバンド体２をハサミ等で切断し、両生類Ｐから、バンド体２と小型発信機１を一緒に取り外す。
【００６７】
このとき、図５（ａ）（ｂ）に示すように、両生類Ｐの腰部分における背中側・腹側には、少し赤色となった帯状の跡が生じるものの、両生類Ｐの健康に影響を与えるものではない。
【００６８】
そして、両生類Ｐを捕獲して新たな小型発信機１を取り付ける際には、この両生類Ｐが成長し、体重が増えて胴周りの長さも変化しているので、これを再測し、それに見合った径のバンド体２を使用する。
【産業上の利用可能性】
【００６９】
本発明は、林、河川、湖畔等において、例えば、両生類、爬虫類、鳥類、猛禽類、魚類、小型哺乳類等の小動物の行動を長期間に渡り追跡することにより、小動物の生態系行動範囲の確認を行なうことを可能とした、小動物の生態系行動範囲の確認方法と、小動物の生態系行動範囲の確認用装置として、様々な自然環境において広く利用されるものである。
【図面の簡単な説明】
【００７０】
【図１】小動物の生態系行動範囲の確認用装置の構成を示し、（ａ）は皮製接着剤を介してリング状のバンド体に小型発信機を固定する状態を示した分解斜視図、（ｂ）はバンド体に小型発信機を固定した完成状態を示した斜視図である。
【図２】小型発信機の内部構造の一例を示した斜視図である。
【図３】両生類であるカエルにバンド体を装着する工程を示し、（ａ）はカエルの後肢を左手で搾るようにして引き延ばした状態で、右手でバンド体をつまみ、カエルの水かきのある足部分をバンド体の内側に入れる状態を示した斜視図、（ｂ）は右手でカエルの水かきのある足部分をつかみ、左手でバンド体をつまみ、バンド体をカエルの腰部分まで移動させる状態を示した斜視図、（ｃ）はバンド体がカエルの腰部分において固定されている使用状態を示した斜視図、（ｄ）はカエルの腰部分に装着しているバンド体をハサミで切断し、カエルからバンド体を取り外す状態を示した斜視図である。
【図４】バンド体を介して小型発信機が取り付けられているカエルを、森林、河川、湖畔等の自然環境に返した状態を示す斜視図である。
【図５】カエルからバンド体を取り外した状態を示し、（ａ）はカエルの腰部分における背中側に赤色となった帯状の跡が生じている状態の斜視図、（ｂ）はカエルの腰部分における腹側に赤色となった帯状の跡が生じている状態の斜視図である。
【符号の説明】
【００７１】
Ｐ…両生類（カエル）
１…小型発信機                ２…バンド体
３…皮製接着剤                ４…大規模集積回路（ＡＳＩＣ）
５…電源                      ６…アンテナ
【図１】
0004688034.tif 000002
【図２】
0004688034.tif 000003
【図３】
0004688034.tif 000004
【図４】
0004688034.tif 000005
【図５】
0004688034.tif 000006